【手続補正書】
【提出日】平成22年6月15日(2010.6.15)
【手続補正１】
【補正対象書類名】特許請求の範囲
【補正対象項目名】全文
【補正方法】変更
【補正の内容】
【特許請求の範囲】
【請求項１】
互いに離れて、ほぼ平行に配置された１対の係止アーム部材であって、頂面、前記頂面と平行に延びる底面、前記頂面および前記底面と直角であり、かつ前記頂面と前記底面との間に延びる外向き側面、後端部、および前記後端部に一体的に接続され、前記後端部の反対側に配置された前端部を有し、各前端部は、前記底面から懸垂する係止突起を有している、１対の係止アーム部材と、
前記後端部における前記各頂面で、前記1対の係止アーム部材に一体的に接続された交差部材と、
１対の案内要素であって、それぞれが、前記後端部の前記外向き側面のそれぞれに一体的に接続されており、前記後端部の前記外向き側面のそれぞれから外側へ突出している１対の案内要素とを備える、コネクタ位置保証装置。
【請求項２】
各前端部は、前記頂面と前記係止突起との間に延びるほぼ平坦な正面を有している、請求項1に記載のコネクタ位置保証装置。
【請求項３】
各係止アーム部材は、前記頂面と前記ほぼ平坦な正面とを相互接続する頂部曲縁、および、前記係止突起と前記ほぼ平坦な正面とを相互接続する底部曲縁を含んでいる、請求項2に記載のコネクタ位置保証装置。
【請求項４】
各係止突起は、台形形状とされており、前記底部曲縁に接続して前記底部曲縁から前記後端部に向かって、下方向および後方向に先細りになる第1先細り面と、前記頂面とほぼ平行に延びる、平坦な底部係止突起面と、前記平坦な底部係止突起面に接続して、前記平坦な底部係止突起面から前記係止アーム部材の前記底面に向かって、上方向および後方向に先細りになる第2先細り面とを有している、請求項3に記載のコネクタ位置保証装置。
【請求項５】
前記前端部は、それぞれ、前記後端部と、片持ち状に一体形成されている、請求項1に記載のコネクタ位置保証装置。
【請求項６】
前記案内要素は、それぞれ、案内要素平坦面、第1案内要素先細り面および第2案内要素先細り面を有しており、各第1案内要素先細り面は、前記案内要素平坦面から前記後端部の前記外向き側面に向かって、前方向に先細りになっており、各第2案内要素先細り面は、前記案内要素平坦面から前記後端部の前記外向き側面に向かって、後方向に先細りになっている、請求項1に記載のコネクタ位置保証装置。
【請求項７】
前記交差部材は、頂部パネルおよび1対の側部パネルを含み、側部パネルは、それぞれ、前記頂部パネルと前記後端部の前記頂面との間に配置され、前記頂部パネルおよび前記後端部の前記頂面に一体的に接続されて、前記1対の係止アーム部材と平行に延びる1対の交差部材案内溝を区画している、請求項1に記載のコネクタ位置保証装置。
【請求項８】
前記交差部材は、前記頂部パネルから離れて前記1対の側部パネルの間に配置され前記頂部パネルと平行に延びる底部パネルを含み、前記底部パネルは、前記1対の側部パネルの間で、前記1対の側部パネルに一体的に接続されている、請求項7に記載のコネクタ位置保証装置。
【請求項９】
前記交差部材は、前記頂部パネルと前記底部パネルとの間に配置されて前記頂部パネルおよび前記底部パネルに一体的に接続されたリブを含み、前記リブは、前記1対の側部パネルの間の略中央に配置されており、前記1対の係止アーム部材と平行に延びている、請求項7に記載のコネクタ位置保証装置。
【請求項１０】
前記頂部パネルは、前記係止アーム部材のそれぞれの前記後端部を越えて外側に延びている、請求項7に記載のコネクタ位置保証装置。
【請求項１１】
前記頂部パネルは、前記1対の案内要素のそれぞれを越えて外側に延びている、請求項7に記載のコネクタ位置保証装置。
【請求項１２】
第1コネクタ空洞を形成し、前記第1コネクタ空洞の中に配置され当該第1コネクタ部材に接続されたラッチ構造部および第1コネクタターミナルハウジングを含む第1コネクタ部材であって、前記ラッチ構造部は、ラッチおよび1対の停止部を含み、前記ラッチは、通常緩和状態および偏移状態、ならびに前記通常緩和状態と前記偏移状態との間で、可動とされており、前記ラッチは、前記通常緩和状態へと弾性的に付勢されており、各停止部は、前記ラッチに接続されて、前記ラッチから横方向に延びているものである、第1コネクタ部材と、
前記第1コネクタ空洞に受けられる寸法とされており、前記第1コネクタターミナルハウジングを受ける寸法とされた第2コネクタ空洞を区画しており、前記第2コネクタ空洞の中に配置され当該第2コネクタ部材に接続された第2コネクタターミナルハウジングを有しており、1対の捕捉部と、前記1対の捕捉部の間に配置された係止傾斜部とを備える第2コネクタ外面を有する第2コネクタ部材であって、前記1対の捕捉部および前記係止傾斜部は、前記第2コネクタ外面から突出しているものである、第2コネクタ部材と、
解除位置から係合位置への移動のために、前記第1コネクタ部材に摺動可能に接続されており、互いに離れてほぼ平行に配置された1対の係止アーム部材および前記1対の係止アーム部材に一体的に接続された交差部材を有するコネクタ位置保証装置であって、各係止アーム部材は、後端部、および前記後端部に一体的に接続され、前記後端部の反対側に配置された前端部を有し、各前端部は、当該前端部から懸垂する係止突起を有しており、前記前端部は、前記後端部に対して、上方向および下方向に移動することができ、通常緩和状態、中間偏移状態および進行偏移状態、ならびに、前記通常緩和状態と前記中間偏移状態と前記進行偏移状態との間で、連続的に移動することができ、前記前端部は、前記通常緩和状態へと弾性的に付勢されているものである、コネクタ位置保証装置と、
を備えるコネクタアセンブリであって、
前記第1および第2コネクタ部材を、前記コネクタ位置保証装置が前記解除状態にあり、前記ラッチが前記通常緩和状態にある状態で、互いに完全に接続する前に、移動ができない状態にある前記ラッチは、前記1対の停止部のそれぞれと前記前端部とが少なくとも部分的に対向している結果として、前記第1コネクタ部材に対する前記コネクタ位置保証装置の摺動移動を防止しており、
前記第1コネクタ部材を前記解除位置から前記係合位置へと動かす前に、前記第1および第2コネクタ部材が、第1挿入位置、第2挿入位置および第3挿入位置から段階的に、互いに向かって移動されることにより、接続され、
前記第1挿入位置において、前記第2コネクタ空洞が前記第1コネクタターミナルハウジングを受けながら、前記第1コネクタ空洞は前記第2コネクタ部材を受け、前記コネクタ位置保証装置が前記解除位置にある状態で、前記係止アーム部材の前記前端部が前記通常緩和状態に位置しつつ、前記係止傾斜部は前記ラッチに接触し、
前記第1および第2コネクタ部材が、前記第1挿入位置から前記第2挿入位置へ移動すると、前記係止傾斜部は、前記ラッチを、前記通常緩和状態から前記中間偏移状態へ、上方向に移動させて、前記係止アーム部材の前記前端部が前記通常緩和状態に留まりながら、前記コネクタ位置保証装置の摺動運動を可能にするために、前記ラッチを前記移動禁止状態から解放し、
前記第1および第2コネクタ部材が、前記第2挿入位置から前記第3挿入位置へ移動すると、前記ラッチは、前記偏移状態から前記通常緩和状態へ、下方向に移動して、前記係止傾斜部を捕捉し、前記第1および第2コネクタ部材をともに、主要係止状態に係止し、前記係止突起のそれぞれおよび前記捕捉部が互いに摺動可能に接触し、前記前端部が前記通常緩和状態から前記中間偏移状態へ移動し、前記係止突起が前記捕捉部の頂部に配置され、
前記第3挿入位置において、前記コネクタ位置保証装置は、前記係止突起が、それぞれ、前記停止部の上へと摺動すると、前記前端部が前記中間偏移状態から前記進行偏移状態へ移動するように、前記解除位置から前記係合位置へ、摺動移動することが可能であり、
前記コネクタ位置保証装置が前記解除位置から前記係合位置へ移動すると、前記進行偏移状態にある前記前端部は、摺動しながら前記停止部を越えて移動し、
前記コネクタ位置保証装置が前記係合位置に到達したときに、前記前端部は前記進行偏移状態から前記通常緩和状態へ移動し、前記係止突起は、前記捕捉部および前記停止部の少なくとも実質的に前方に配置され、互いに完全に接続されている前記第1および第2コネクタ部材のために、二次係止状態を提供する、コネクタアセンブリ。
【請求項１３】
前記ラッチ構造部は、前記第1コネクタターミナルハウジングに回動可能に取り付けられている、請求項12に記載のコネクタアセンブリ。
【請求項１４】
前記ラッチ構造部は、支点部を含んでおり、前記ラッチは、支点部にシーソー式に取り付けられている、請求項13に記載のコネクタアセンブリ。
【請求項１５】
前記ラッチは、前記第1および第2コネクタ部材が前記第3挿入位置にあるときに前記係止傾斜部を受ける寸法とされた係止傾斜部受け穴を有している、請求項12に記載のコネクタアセンブリ。
【請求項１６】
前記第1コネクタ部材は、前記第1コネクタ空洞を区画する第1コネクタ内面を有しており、前記第1コネクタ部材は、前記第1コネクタ内面に形成された1対の案内受け溝を含んでおり、前記1対の案内受け溝は、互いに対向して、前記ラッチ構造部に隣接するように配置されている、請求項12に記載のコネクタアセンブリ。
【請求項１７】
前記第1コネクタ部材は、前記第1コネクタ内面に形成された案内レール溝を含んでいる、請求項16に記載のコネクタアセンブリ。
【請求項１８】
前記第2コネクタ部材は、前記第1コネクタ部材の前記案内レール溝に摺動可能に受けられる寸法とされた案内レールを含んでいる、請求項17に記載のコネクタアセンブリ。
【請求項１９】
各係止アーム部材は、頂面、底面、前記頂面と前記底面との間に延びる外向き側面を有し、前記係止突起は前記底面から懸垂し、前記交差部材は、前記後端部の前記頂面のそれぞれで、前記1対の係止アーム部材に一体的に接続されている、請求項12に記載のコネクタアセンブリ。
【請求項２０】
前記コネクタ位置保証装置は1対の案内要素を含み、各案内要素は、前記後端部の前記外向き側面のそれぞれに一体的に接続され、前記後端部の前記外向き側面のそれぞれから外側へ突出している、請求項12に記載のコネクタアセンブリ。
【請求項２１】
前記案内要素は、それぞれ、案内要素平坦面、第1案内要素先細り面および第2案内要素先細り面を有しており、各第1案内要素先細り面は、前記案内要素平坦面から前記後端部の前記外向き側面に向かって、前方向に先細りになっており、各第2案内要素先細り面は、前記案内要素平坦面から前記後端部の前記外向き側面に向かって、後方向に先細りになっている、請求項20に記載のコネクタアセンブリ。
【請求項２２】
各前端部は、前記頂面と前記係止突起との間に延びるほぼ平坦な正面を有している、請求項20に記載のコネクタアセンブリ。
【請求項２３】
各係止アーム部材は、前記頂面と前記ほぼ平坦な正面とを相互接続する頂部曲縁、および、前記係止突起と前記ほぼ平坦な正面とを相互接続する底部曲縁を含んでいる、請求項22に記載のコネクタアセンブリ。
【請求項２４】
各係止突起は、台形形状とされており、前記底部曲縁に接続して前記底部曲縁から前記後端部に向かって、下方向および後方向に先細りになる第1先細り面と、前記頂面とほぼ平行に延びる、平坦な底部係止突起面と、前記平坦な底部係止突起面に接続して、前記平坦な底部係止突起面から前記係止アーム部材の前記底面に向かって、上方向および後方向に先細りになる第2先細り面とを有している、請求項23に記載のコネクタアセンブリ。
【請求項２５】
前記前端部は、それぞれ、前記後端部と、片持ち状に一体形成されている、請求項12に記載のコネクタアセンブリ。
【請求項２６】
前記交差部材は、頂部パネルおよび1対の側部パネルを含み、側部パネルは、それぞれ、前記頂部パネルと前記後端部の前記頂面との間に配置され、前記頂部パネルおよび前記後端部の前記頂面に一体的に接続されて、前記1対の係止アーム部材と平行に延びる1対の交差部材案内溝を区画している、請求項12に記載のコネクタアセンブリ。
【請求項２７】
前記交差部材は、前記頂部パネルから離れて前記1対の側部パネルの間に配置され前記頂部パネルと平行に延びる底部パネルを含み、前記底部パネルは、前記1対の側部パネルの間で、前記1対の側部パネルに一体的に接続されている、請求項26に記載のコネクタアセンブリ。
【請求項２８】
前記交差部材は、前記頂部パネルと前記底部パネルとの間に配置されて前記頂部パネルおよび前記底部パネルに一体的に接続されたリブを含み、前記リブは、前記1対の側部パネルの間の略中央に配置されており、前記1対の係止アーム部材と平行に延びている、請求項26に記載のコネクタアセンブリ。
【請求項２９】
前記頂部パネルは、前記係止アーム部材の前記後端部のそれぞれを越えて外側に延びている、請求項26に記載のコネクタアセンブリ。
【請求項３０】
前記頂部パネルは、前記1対の案内要素のそれぞれを越えて外側に延びている、請求項26に記載のコネクタアセンブリ。
【請求項３１】
前記第1コネクタ部材は、前記ラッチ構造部の上方に配置された1対の第1コネクタ案内レールを含み、前記1対の第1コネクタ案内レールは、それぞれ、前記交差部材案内溝に、摺動可能に受けられる寸法とされている、請求項26に記載のコネクタアセンブリ。
【請求項３２】
奥行き軸と、幅軸と、高さ軸とに沿ったコネクタ位置保証装置本体であって、前記奥行き軸、幅軸、高さ軸は互いに直角であり、前記奥行き軸と幅軸とにより奥行き−幅平面を形成し、前記高さ軸と奥行き軸とにより高さ−奥行き平面を形成し、前記高さ軸と幅軸とにより高さ−幅平面を形成し、１対の係止アーム部材と交差部材とを有するコネクタ位置保証装置本体を有し、
前記１対の係止アーム部材は、ほぼ奥行き軸方向に延び、幅軸方向に沿って互いに離れてほぼ平行に配置され、各係止アーム部材は、頂面、底面、外向き側面、後端部、および前記後端部の反対側に配置された前端部を有し、前記頂面は奥行き−幅平面と平行であり、前記底面は前記頂面と奥行き−幅平面とに平行であり、前記外向き側面は高さ−奥行き平面に平行、かつ前記頂面および前記底面と直角であり、前記外向き側面は前記頂面と前記底面との間に延びており、前記後端部および前記前端部は互いに一体に結合され、前記各前端部は前記底面から高さ方向に懸垂する係止突起を有し、
前記交差部材は、前記後端部における前記各頂面で、前記1対の係止アーム部材に一体的に接続される、コネクタ位置保証装置。
【請求項３３】
前記コネクタ位置保証装置は、１対の案内要素を備え、各案内要素は、前記後端部において、前記外向き側面のそれぞれに一体的に接続されており、前記外向き側面のそれぞれから外側へ突出している、請求項32に記載のコネクタ位置保証装置。
【請求項３４】
前記1対の係止アーム部材の平行な関係を保ったまま、前記各前端部は前記後端部に対して、通常の弛緩状態と緊張状態との間で、高さ方向の上方向および後方向に移動可能であり、前記各前端部は弾力的に、かつ前記通常の弛緩状態にバイアスされている請求項32に記載のコネクタ位置保証装置。
【手続補正２】
【補正対象書類名】明細書
【補正対象項目名】０００８
【補正方法】変更
【補正の内容】
【０００８】
本発明のコネクタ位置保証装置を以下に説明する。コネクタ位置保証装置は、1対の係止アーム部材、交差部材および1対の案内要素を含んでいる。1対の係止アーム部材は、互いに離れて、ほぼ平行に配置されている。各係止アーム部材は、頂面、前記頂面と平行に延びる底面、前記頂面および前記底面と直角であり、かつ頂面と底面との間に延びる外向き側面、後端部、および前端部を有している。前端部は、後端部に一体的に接続され、後端部の反対側に配置されている。各前端部は、底面から懸垂する係止突起を有している。交差部材は、後端部の各頂面で、1対の係止アーム部材に一体的に接続されている。各案内要素は、後端部の各外向き側面に一体的に接続されており、後端部の各外向き側面から外側へ突出している。